(57)【要約】【課題】光ディスクなどのディスク状記録媒体に不良セクタが頻繁に検出される場合でも、データの連続記録を達成可能とすること。【解決手段】入力されてくる非圧縮のデジタルデータを圧縮符号化する符号化手段と、この符号化手段から出力される符号化データを一時記憶する記録用バッファメモリと、この記録用バッファメモリから出力されるデータをディスク状記録媒体に記録するディスク記録制御手段と、データ記録動作の途上で検出される不良セクタの単位時間当りの数を監視する不良セクタ数監視手段とを有し、前記不良セクタ数監視手段による単位時間当りの不良セクタのカウント数がしきい値以上となった場合には、前記符号化手段による圧縮符号化のビットレートを落として記録を続行させる。【選択図】      図１
2004152359.tif 000002
【特許請求の範囲】
【請求項１】
入力されてくる非圧縮のデジタルデータを圧縮符号化する符号化手段と、この符号化手段から出力される符号化データを一時記憶する記録用バッファメモリと、この記録用バッファメモリから出力されるデータをディスク状記録媒体に記録するディスク記録制御手段と、データ記録動作の途上で検出される不良セクタの単位時間当りの数を監視する不良セクタ数監視手段とを有し、
前記不良セクタ数監視手段による単位時間当りの不良セクタのカウント数がしきい値以上となった場合には、前記符号化手段による圧縮符号化のビットレートを落として記録を続行させるようにしたことを特徴とするデータ記録装置。
【請求項２】
請求項１記載において、
圧縮符号化のビットレートを落とした後、単位時間当りの不良セクタのカウント数がしきい値未満となった場合には、前記符号化手段による圧縮符号化のビットレートを元に戻すようにしたことを特徴とするデータ記録装置。
【請求項３】
入力されてくる非圧縮のデジタルデータを圧縮符号化する符号化手段と、この符号化手段から出力される符号化データを一時記憶する記録用バッファメモリと、この記録用バッファメモリから出力されるデータをディスク状記録媒体に記録するディスク記録制御手段と、前記記録用バッファメモリの残量を監視するメモリ残量監視手段とを有し、
前記記録用バッファメモリの残量がしきい値以下となったことが前記メモリ残量監視手段で検出された場合には、前記符号化手段による圧縮符号化のビットレートを落として記録を続行させるようにしたことを特徴とするデータ記録装置。
【請求項４】
請求項３記載において、
圧縮符号化のビットレートを落とした後、前記記録用バッファメモリの残量がしきい値を超えた場合には、前記符号化手段による圧縮符号化のビットレートを元に戻すようにしたことを特徴とするデータ記録装置。
【発明の詳細な説明】
【０００１】
【発明の属する技術分野】
本発明は、非圧縮のデジタル映像データなどを圧縮符号化した後、ディスク状記録媒体に記録するデータ記録装置に関する。
【０００２】
【従来の技術】
近時は記録可能な光ディスクが種々出回っており、このような記録可能光ディスクを装着して、光ディスクにデータを記録して再生する機能を搭載した光ディスク記録再生装置も、例えば、家庭用ＤＶＤレコーダなどとして製品化されている。
【０００３】
ところで、光ディスクに、例えば動画データを記録する場合には、デジタル映像音声源から連続的に入力されてくる非圧縮のデジタルデータを、符号化手段（エンコーダ）によってＭＰＥＧ（Ｍｏｖｉｇ  Ｐｉｃｔｕｒｅ  Ｅｘｐｅｒｔｓ  Ｇｒｏｕｐ）符号化方式を用いて圧縮符号化して、データ量を圧縮して記録することが一般的に行われる。この場合には、符号化手段から連続的に出力されてくる符号化データを、一旦記録用バッファメモリに記憶して、記録用バッファメモリから出力されるデータを、ディスク記録用フォーマットに準じた記録用データに変換処理した後、光ディスクに記録する構成をとる。
【０００４】
このとき、光ディスクに問題のあるセクタが少ない場合は、記録用バッファメモリの残量は確保されて、映像データの連続記録は達成される。しかし、光ディスクに問題のあるセクタが多い場合には、データの同一セクタへの何度かの書き込み動作とその良否判定を行い、何度かの書き込みが失敗した場合には不良セクタ（欠陥セクタ）の判定をして、代替セクタへのデータの書き込みを行うという、動作を頻繁に行うことを余儀なくされ、このため、記録用バッファメモリがオーバーフローしてしまうとう事態を招来する虞がある。
【０００５】
【発明が解決しようとする課題】
上述したように、記録用バッファメモリがオーバーフローしてしまうと、バッファ管理が破綻してしまって、連続的に入力されてくるデータを記録用バッファメモリに保存できなくなり、結果として記録が一時途切れてしまって、映像データの連続記録が達成できなくなる。
【０００６】
本発明は上記の点に鑑みなされたもので、その目的とするところは、光ディスクなどのディスク状記録媒体に不良セクタが頻繁に検出される場合でも、データの連続記録を達成可能とすることにある。
【０００７】
【課題を解決するための手段】
上記した目的を達成するために、本発明によるデータ記録装置は、
入力されてくる非圧縮のデジタルデータを圧縮符号化する符号化手段と、この符号化手段から出力される符号化データを一時記憶する記録用バッファメモリと、この記録用バッファメモリから出力されるデータをディスク状記録媒体に記録するディスク記録制御手段と、データ記録動作の途上で検出される不良セクタの単位時間当りの数を監視する不良セクタ数監視手段とを有し、
前記不良セクタ数監視手段による単位時間当りの不良セクタのカウント数がしきい値以上となった場合には、前記符号化手段による圧縮符号化のビットレートを落として記録を続行させるように、構成されるか、
あるいは、
入力されてくる非圧縮のデジタルデータを圧縮符号化する符号化手段と、この符号化手段から出力される符号化データを一時記憶する記録用バッファメモリと、この記録用バッファメモリから出力されるデータをディスク状記録媒体に記録するディスク記録制御手段と、前記記録用バッファメモリの残量を監視するメモリ残量監視手段とを有し、
前記記録用バッファメモリの残量がしきい値以下となったことが前記メモリ残量監視手段で検出された場合には、前記符号化手段による圧縮符号化のビットレートを落として記録を続行させるように、構成される。
【０００８】
このようにすることにより、データ記録動作の途上で不良セクタが頻繁に検出されたり、不良セクタが頻繁に検出されることで記録用バッファメモリの残量が少なくなったときには、圧縮符号化のビットレートを落とすことで、記録用バッファメモリに入力される単位時間当りのデータ量を低減し、これにより、記録用バッファメモリがオーバーフローしてバッファ管理が破綻してしまうことを可及的に回避して、ビットレートを落とした形であるが（すなわち、低解像度の記録データではあるが）、データの連続記録を保証することが可能となる。
【０００９】
【発明の実施の形態】
以下、本発明の実施の形態を、図面を用いて説明する。
【００１０】
図１は、本発明の第１実施形態に係るデータ記録再生装置の要部の概略を示すブロック図であり、本実施形態は、光ディスクを記録媒体とした例えば家庭用ＤＶＤレコーダへの適用例である。
【００１１】
図１において、１は、本実施形態の装置に対して、非圧縮の記録用デジタル映像音声データ（以下、記録用入力データと称す）を連続的に出力するデジタル映像音声源、２は、ＭＰＥＧ符号化方式を用いて、記録用入力データを連続的に圧縮符号化し（量子化、可変長符号化し）、符号化データを生成して出力する符号化部、３は、符号化部２から入力される符号化データを一時記録する記録用バッファメモリ、４は、記録用バッファメモリ３から出力された符号化データを、ディスク記録用フォーマットに準じた記録用データに変換処理した後、光ディスク５に記録し、また、光ディスク５に記録されたデータを再生するディスク記録／再生制御部、５は、記録可能なＤＶＤよりなる光ディスク、６は、ディスク記録／再生制御部４からの代替セクタへの書き込み報告を受けて、単位時間当りの検出不良セクタ数を計数し、監視する不良セクタ数監視部である。
【００１２】
図１に示す構成において、不良セクタ数監視部６は、データ記録動作の途上で検出される不良セクタをカウントし、単位時間当りの検出不良セクタ数がしきい値以上となったか否かを常時監視しており、単位時間当りの検出不良セクタ数がしきい値未満の場合には、符号化部２に対して、通常のビットレートによる比較的に高解像度の圧縮符号化を行うように指示を出し、単位時間当りの検出不良セクタ数がしきい値以上となった場合には、符号化部２に対して、ビットレートを落とした低解像度の圧縮符号化を行うように指示を出す。また、ビットレートを落とした圧縮符号化を行っている際に、単位時間当りの検出不良セクタ数がしきい値未満に復帰した場合には、符号化部２に対して、通常のビットレートによる比較的に高解像度の圧縮符号化の処理に戻るように指示を出す。
【００１３】
図２は、本実施形態の処理の流れを示すフローチャートである。ステップＳ１で、符号化部２による記録用入力データの符号化が開始され、ステップＳ２で、記録用バッファメモリ３から読み出したデータのディスク記録／再生制御部４による光ディスク５への記録が行われ、この記録動作の間は常時、ステップＳ３において、ディスク記録／再生制御部４によって不良セクタが検出されたか否かが監視される。そして、不良セクタが検出された場合にはステップＳ４に進み、そうでない場合にはステップＳ５に進む。ステップＳ４では、ディスク記録／再生制御部４から不良セクタ数監視部６に対して不良セクタの検出報告がなされて、不良セクタ数監視部６が不良セクタの数を計数し、しかる後、ステップＳ５に進む。
【００１４】
ステップＳ５では、不良セクタ数監視部６によって、単位時間当りの検出不良セクタ数がしきい値以上となったか否かが判定され、しきい値以上となった場合にはステップＳ６に進み、そうでない場合にはステップＳ７に進む。ステップＳ６では、不良セクタ数監視部６の指示を受けた符号化部２が、ビットレートを落とした圧縮符号化の制御に切り換えて、ステップＳ２に戻る。
【００１５】
ステップＳ７では、符号化部２による現在の圧縮符号化のビットレートが低解像度であるか否かが判定され、ビットレートを落とした低解像度である場合にはステップＳ８に進み、そうでない場合にはステップＳ２に戻る。ステップＳ８では、単位時間当りの検出不良セクタ数がしきい値未満であるか否かが判定され、しきい値未満である場合にはステップＳ９に進み、そうでない場合にはステップＳ２に戻る。ステップＳ９では、符号化部２による圧縮符号化のビットレートを元に戻して、ステップＳ２に戻る。
【００１６】
このように本実施形態では、データ記録動作の途上で不良セクタが頻繁に検出されると、圧縮符号化のビットレートを落とすことで、記録用バッファメモリに入力される単位時間当りのデータ量を低減し、これにより、記録用バッファメモリがオーバーフローしてバッファ管理が破綻してしまうことを回避できる。したがって、ビットレートを落とした形であるが（すなわち、低解像度の記録データではあるが）、データの連続記録を保証することが可能となる。
【００１７】
図３は、本発明の第２実施形態に係るデータ記録再生装置の要部の概略を示すブロック図であり、本実施形態も、光ディスクを記録媒体とした例えば家庭用ＤＶＤレコーダへの適用例である。なお、図３において、図１に示した前記第１実施形態と均等な構成要素には同一符号を付し、その説明は重複を避けるため割愛する。
【００１８】
図３において、７は、記録用バッファメモリ３の残量を監視するメモリ残量監視部である。本実施形態では、データ記録動作時には、メモリ残量監視部７が記録用バッファメモリ３の残量を常時監視し、メモリ残量がしきい値を超えている場合には、符号化部２に対して、通常のビットレートによる比較的に高解像度の圧縮符号化を行うように指示を出し、メモリ残量がしきい値以下となった場合には、符号化部２に対して、ビットレートを落とした低解像度の圧縮符号化を行うように指示を出す。また、ビットレートを落とした圧縮符号化を行っている際に、メモリ残量がしきい値を超えた状態に復帰した場合には、符号化部２に対して、通常のビットレートによる比較的に高解像度の圧縮符号化の処理に戻るように指示を出す。
【００１９】
図４は、本実施形態の処理の流れを示すフローチャートである。ステップＳ１１で、符号化部２による記録用入力データの符号化が開始され、ステップＳ１２で、記録用バッファメモリ３から読み出したデータのディスク記録／再生制御部４による光ディスク５への記録が行われ、この記録動作の間は常時、ステップＳ１３において、メモリ残量監視部７によって記録用バッファメモリ３の残量の測定が行われる。そして、ステップＳ１４において、メモリ残量監視部７により、記録用バッファメモリ３の残量がしきい値以下となったか否かが判定され、しきい値以下となった場合にはステップＳ１５に進み、そうでない場合にはステップＳ１６に進む。ステップＳ１５では、メモリ残量監視部７の指示を受けた符号化部２が、ビットレートを落とした圧縮符号化の制御に切り換えて、ステップＳ１２に戻る。
【００２０】
ステップＳ１６では、符号化部２による現在の圧縮符号化のビットレートが低解像度であるか否かが判定され、ビットレートを落とした低解像度である場合にはステップＳ１７に進み、そうでない場合にはステップＳ１２に戻る。ステップＳ１７では、記録用バッファメモリ３の残量がしきい値を超えたか否かが判定され、しきい値を超えた場合にはステップＳ１８に進み、そうでない場合にはステップＳ１２に戻る。ステップＳ１８では、符号化部２による圧縮符号化のビットレートを元に戻して、ステップＳ１２に戻る。
【００２１】
このように本実施形態では、不良セクタが頻繁に検出されることで記録用バッファメモリの残量が少なくなったときには、圧縮符号化のビットレートを落とすことで、記録用バッファメモリに入力される単位時間当りのデータ量を低減し、これにより、記録用バッファメモリがオーバーフローしてバッファ管理が破綻してしまうことを回避できる。したがって、ビットレートを落とした形であるが（すなわち、低解像度の記録データではあるが）、データの連続記録を保証することが可能となる。
【００２２】
【発明の効果】
以上のように本発明によれば、光ディスクなどのディスク状記録媒体に不良セクタが頻繁に検出される場合でも、データの連続記録を維持することが可能となる。
【図面の簡単な説明】
【図１】本発明の第１実施形態に係るデータ記録再生装置の要部の概略を示すブロック図である。
【図２】本発明の第１実施形態における処理の流れを示すフローチャートである。
【図３】本発明の第２実施形態に係るデータ記録再生装置の要部の概略を示すブロック図である。
【図４】本発明の第２実施形態における処理の流れを示すフローチャートである。
【符号の説明】
１  デジタル映像音声源
２  符号化部
３  記録用バッファメモリ
４  ディスク記録／再生制御部
５  光ディスク
６  不良セクタ数監視部
７  メモリ残量監視部
【図１】
2004152359.tif 000003
【図２】
2004152359.tif 000004
【図３】
2004152359.tif 000005
【図４】
2004152359.tif 000006